【手続補正書】
【提出日】平成26年5月9日(2014.5.9)
【手続補正１】
【補正対象書類名】特許請求の範囲
【補正対象項目名】全文
【補正方法】変更
【補正の内容】
【特許請求の範囲】
【請求項１】
変倍が可能であり、物体側から像側に順に第１レンズ群と第２レンズ群を含み、変倍に際して前記第１レンズ群と前記第２レンズ群の少なくとも一方が移動し、撮像装置に設けられた撮像素子上に物体像を形成し、以下の条件を満足することを特徴とする光学系。
|(ΔTMyu＋ΔTMyl)／(ΔWMyu＋ΔWMyl)|＜０．６７
０．７５＜|(ΔWMyu＋ΔWMyl)|／２Ｐ＜１６．０
ただし、前記光学系における望遠端よりも広角端に近い中間焦点距離を広角側中間焦点距離とし、前記広角端よりも前記望遠端に近い中間焦点距離を望遠側中間焦点距離とし、該光学系の最大像高の８割の像高を８割像高とし、該光学系を通過するメリジオナル光線のうち有効光束径の７割の位置を通る上線および下線をそれぞれ、７割上線および７割下線とするとき、
ΔWMyuは、前記広角側中間焦点距離において、前記８割像高に到達する前記７割上線のうちｄ線の横収差量であり、
ΔWMylは、前記広角側中間焦点距離において、前記８割像高に到達する前記７割下線のうちｄ線に対する横収差量であり、
ΔＴMyuは、前記望遠側中間焦点距離において、前記８割像高に到達する前記７割上線のうち前記ｄ線に対する横収差量であり、
ΔＴMylは、前記望遠側中間焦点距離において、前記８割像高に到達する前記７割下線のうちｄ線に対する横収差量であり、
Ｐは前記撮像素子の画素ピッチであり、
ｆｗを前記光学系の前記広角端での焦点距離とし、ｆｔを前記光学系の前記望遠端での焦点距離とし、ｆｍ＝√（ｆｗ×ｆｔ）とするとき、
前記広角側中間焦点距離ｆｗｍは、ｆｗｍ＝√（ｆｗ×ｆｍ）であり、
前記望遠側中間焦点距離ｆｔｍは、ｆｔｍ＝√（ｆｍ×ｆｔ）である。
【請求項２】
変倍が可能であり、物体側から像側に順に第１レンズ群と第２レンズ群を含み、変倍に際して前記第１レンズ群と前記第２レンズ群の少なくとも一方が移動し、撮像装置に設けられた撮像素子上に物体像を形成し、以下の条件を満足することを特徴とする光学系。
Ｓｗｍ／Ｓｔｍ＜０．６７
０．７５＜Ｓｗｍ／２Ｐ＜１６．０
ただし、前記光学系における望遠端よりも広角端に近い中間焦点距離を広角側中間焦点距離とし、前記広角端よりも前記望遠端に近い中間焦点距離を望遠側中間焦点距離とし、該光学系の最大像高の８割の像高を８割像高とし、該光学系を通過して前記８割像高に到達するｄ線に対するメリジオナル方向でのＭＴＦがピークとなる位置での該ｄ線の点像強度分布において有効光束径の７割の位置までの光束が形成するスポットの径を、７割スポット径とするとき、
Ｓｗｍは、前記広角側中間焦点距離における前記７割スポット径であり、
Ｓｔｍは、前記望遠側中間焦点距離における前記７割スポット径であり、
Ｐは前記撮像素子の画素ピッチであり、
ｆｗを前記光学系の前記広角端での焦点距離とし、ｆｔを前記光学系の前記望遠端での焦点距離とし、ｆｍ＝√（ｆｗ×ｆｔ）とするとき、
前記広角側中間焦点距離ｆｗｍは、ｆｗｍ＝√（ｆｗ×ｆｍ）であり、
前記望遠側中間焦点距離ｆｔｍは、ｆｔｍ＝√（ｆｍ×ｆｔ）である。
【請求項３】
前記第１レンズ群は正の屈折力を有し、前記第２レンズ群は負の屈折力を有することを特徴とする請求項１または２に記載の光学系。
【請求項４】
前記第１レンズ群の焦点距離をｆ１とし、前記第２レンズ群の焦点距離をｆ２とするとき、以下の条件を満足することを特徴とする請求項３に記載の光学系。
０．３０＜ｆ１／ｆｔ＜１．２０
−０．２０＜ｆ２／ｆｔ＜−０．０３
【請求項５】
前記第１レンズ群は負の屈折力を有し、前記第２レンズ群は正の屈折力を有することを特徴とする請求項１または２に記載の光学系。
【請求項６】
前記第１レンズ群の焦点距離をｆ１とし、前記第２レンズ群の焦点距離をｆ２とするとき、以下の条件を満足することを特徴とする請求項５に記載の光学系。
−１．２０＜ｆ１／ｆｔ＜−０．３０
０．２０＜ｆ２／ｆｔ＜１．１０
【請求項７】
請求項１から６のいずれか１項に記載の光学系により形成された物体像を撮像する撮像素子と、
該撮像素子から入力された入力画像に対して、前記光学系の収差に応じたフィルタ値を有する画像回復フィルタを用いて画像回復処理を行う画像処理部とを有することを特徴とする撮像装置。
【手続補正２】
【補正対象書類名】明細書
【補正対象項目名】発明の名称
【補正方法】変更
【補正の内容】
【発明の名称】光学系および撮像装置
【手続補正３】
【補正対象書類名】明細書
【補正対象項目名】００１２
【補正方法】変更
【補正の内容】
【００１２】
本発明の一側面としての光学系は、変倍が可能であり、物体側から像側に順に第１レンズ群と第２レンズ群を含み、変倍に際して前記第１レンズ群と前記第２レンズ群の少なくとも一方が移動し、撮像装置に設けられた撮像素子上に物体像を形成し、以下の条件を満足することを特徴とする。
|(ΔTMyu＋ΔTMyl)／(ΔWMyu＋ΔWMyl)|＜０．６７
０．７５＜|(ΔWMyu＋ΔWMyl)|／２Ｐ＜１６．０
ただし、前記光学系における望遠端よりも広角端に近い中間焦点距離を広角側中間焦点距離とし、前記広角端よりも前記望遠端に近い中間焦点距離を望遠側中間焦点距離とし、該光学系の最大像高の８割の像高を８割像高とし、該光学系を通過するメリジオナル光線のうち有効光束径の７割の位置を通る上線および下線をそれぞれ、７割上線および７割下線とするとき、
ΔWMyuは、前記広角側中間焦点距離において、前記８割像高に到達する前記７割上線のうちｄ線の横収差量であり、
ΔWMylは、前記広角側中間焦点距離において、前記８割像高に到達する前記７割下線のうちｄ線に対する横収差量であり、
ΔＴMyuは、前記望遠側中間焦点距離において、前記８割像高に到達する前記７割上線のうち前記ｄ線に対する横収差量であり、
ΔＴMylは、前記望遠側中間焦点距離において、前記８割像高に到達する前記７割下線のうちｄ線に対する横収差量であり、
Ｐは前記撮像素子の画素ピッチであり、
ｆｗを前記光学系の前記広角端での焦点距離とし、ｆｔを前記光学系の前記望遠端での焦点距離とし、ｆｍ＝√（ｆｗ×ｆｔ）とするとき、
前記広角側中間焦点距離ｆｗｍは、ｆｗｍ＝√（ｆｗ×ｆｍ）であり、
前記望遠側中間焦点距離ｆｔｍは、ｆｔｍ＝√（ｆｍ×ｆｔ）である。
【手続補正４】
【補正対象書類名】明細書
【補正対象項目名】００１３
【補正方法】変更
【補正の内容】
【００１３】
また、本発明の他の一側面としての光学系は、変倍が可能であり、物体側から像側に順に第１レンズ群と第２レンズ群を含み、変倍に際して前記第１レンズ群と前記第２レンズ群の少なくとも一方が移動し、撮像装置に設けられた撮像素子上に物体像を形成し、以下の条件を満足することを特徴とする。
Ｓｗｍ／Ｓｔｍ＜０．６７
０．７５＜Ｓｗｍ／２Ｐ＜１６．０
ただし、前記光学系における望遠端よりも広角端に近い中間焦点距離を広角側中間焦点距離とし、前記広角端よりも前記望遠端に近い中間焦点距離を望遠側中間焦点距離とし、該光学系の最大像高の８割の像高を８割像高とし、該光学系を通過して前記８割像高に到達するｄ線に対するメリジオナル方向でのＭＴＦがピークとなる位置での該ｄ線の点像強度分布において有効光束径の７割の位置までの光束が形成するスポットの径を、７割スポット径とするとき、
Ｓｗｍは、前記広角側中間焦点距離における前記７割スポット径であり、
Ｓｔｍは、前記望遠側中間焦点距離における前記７割スポット径であり、
Ｐは前記撮像素子の画素ピッチであり、
ｆｗを前記光学系の前記広角端での焦点距離とし、ｆｔを前記光学系の前記望遠端での焦点距離とし、ｆｍ＝√（ｆｗ×ｆｔ）とするとき、
前記広角側中間焦点距離ｆｗｍは、ｆｗｍ＝√（ｆｗ×ｆｍ）であり、
前記望遠側中間焦点距離ｆｔｍは、ｆｔｍ＝√（ｆｍ×ｆｔ）である。
なお、上記いずれかの光学系により形成された物体像を撮像する撮像素子と、該撮像素子から入力された入力画像に対して、光学系の収差に応じたフィルタ値を有する画像回復フィルタを用いて画像回復処理を行う画像処理部とを有する撮像装置も、本発明の他の一側面を構成する。
【手続補正５】
【補正対象書類名】明細書
【補正対象項目名】００３４
【補正方法】変更
【補正の内容】
【００３４】
同様に、図４（Ｂ），（Ｃ）には、実施例２のズームレンズの広角端での縦収差図および横収差図を示している。また、図５（Ａ），（Ｂ）には実施例２のズームレンズの広角側中間焦点距離での縦収差図および横収差図を、図５（Ｃ），（Ｄ）には実施例２のズームレンズの望遠側中間焦点距離での縦収差図および横収差図を示している。さらに、図６（Ａ），（Ｂ）には、実施例２のズームレンズの望遠端での縦収差図および横収差図を示している。
【手続補正６】
【補正対象書類名】明細書
【補正対象項目名】００５５
【補正方法】変更
【補正の内容】
【００５５】
条件（３）の範囲を以下のようにすることがより望ましい。
Ｓｗｍ／Ｓｔｍ＜０．５５      （３）′
条件（４）は、条件（２）と同様に、ズームレンズの小型化および高倍化と画質に関する条件である。条件（４）の値がその下限を下回る場合は、変倍時の像面湾曲の変動が小さいことを表す。このことは、ズームレンズを構成する各レンズ群の屈折力が弱いことを意味し、これではズームレンズを小型化することができない。一方、条件（４）の値がその上限を超えると、発生するコマ収差が大きすぎるため、良好な画像回復が行えなくなる。